(57)【特許請求の範囲】
【請求項１】
画像読取を行い、基本解像度の第１画像データと、前記基本解像度とは異なる領域検出用解像度の第２画像データとを生成する読取制御部と、
前記第２画像データにおいて、線数についての所定の条件を満たす画像領域を特定する領域特定部と、
前記第１画像データにおいて、前記領域特定部により特定された画像領域に対して所定の画像処理を行う画像処理部と、
を備え、
前記領域特定部は、所定のデフォルト線数を閾値としその閾値に基づく前記所定の条件を満たす画像領域を特定し、
前記読取制御部は、前記デフォルト線数と調整後の閾値線数との比を前記基本解像度に乗じて前記領域検出用解像度を計算し、前記基本解像度の第１画像データと、前記領域検出用解像度の第２画像データとを生成すること、
を特徴とする画像読取装置。
【請求項２】
ユーザー操作を受け付ける操作部をさらに備え、
前記調整後の閾値線数は、前記デフォルト線数と、前記操作部に対して入力された調整値とから計算されること、
を特徴とする請求項１記載の画像読取装置。
【請求項３】
前記領域特定部は、前記閾値以下の線数を有する第１画像領域を特定するとともに、前記閾値より多い線数の第２画像領域を特定し、
前記画像処理部は、前記第１画像領域に対して鮮鋭化処理を行い、前記第２画像領域に対して平滑化処理を行うこと、
を特徴とする請求項１記載の画像読取装置。
【請求項４】
前記領域特定部は、文字属性を有する画像領域を特定し、
前記画像処理部は、特定した前記画像領域に対して鮮鋭化処理を行うこと、
を特徴とする請求項１記載の画像読取装置。
【請求項５】
前記画像処理部は、特定した前記画像領域以外の画像領域に対して平滑化処理を行うことを特徴とする請求項４記載の画像読取装置。
【請求項６】
前記線数についての所定の条件を満たす画像領域を検出するためのパラメーター設定値を記憶する記憶装置をさらに備え、
前記領域特定部は、前記記憶装置から前記パラメーター設定値を読み出し、読み出した前記パラメーター設定値を使用して前記第２画像データにおいて前記画像領域を特定すること、
を特徴とする請求項１から請求項５のうちのいずれか１項記載の画像読取装置。
【請求項７】
画像読取を行い、基本解像度の第１画像データと、前記基本解像度とは異なる領域検出用解像度の第２画像データとを生成する画像読取ステップと、
前記第２画像データにおいて、線数についての所定の条件を満たす画像領域を特定する領域特定ステップと、
前記第１画像データにおいて、特定した前記画像領域に対して所定の画像処理を行うステップと、
を備え、
前記領域特定ステップにおいて、所定のデフォルト線数を閾値としその閾値に基づく前記所定の条件を満たす画像領域を特定し、
前記画像読取ステップにおいて、前記デフォルト線数と調整後の閾値線数との比を前記基本解像度に乗じて前記領域検出用解像度を計算し、前記基本解像度の第１画像データと、前記領域検出用解像度の第２画像データとを生成すること、
を特徴とする画像読取方法。
【発明の詳細な説明】
【技術分野】
【０００１】
本発明は、画像読取装置および画像読取方法に関するものである。
【背景技術】
【０００２】
画像データの画質向上のために、文字属性や線画などの画像領域には鮮鋭化処理が施され、写真などの中間調を有する画像領域には平滑化処理が施される。このため、例えば文字と写真が混在する原稿画像の場合、文字の画像領域と写真の画像領域とが分離される。
【０００３】
他方、文字や写真の印刷物の場合、網点で文字や写真が表現されている。このような網点部分と非網点部分とを分離して原稿画像から抽出する装置がある（例えば特許文献１参照）。
【０００４】
また、網点画像を含む印刷物を読み取る場合、印刷物から得られる網点画像における文字の画像領域と写真の画像領域とが分離される。
【先行技術文献】
【特許文献】
【０００５】
【特許文献１】特開平９−３７０７３号公報
【発明の概要】
【発明が解決しようとする課題】
【０００６】
印刷物から得られる網点画像における文字の画像領域と写真の画像領域とを分離する際、線数が所定の閾値以下の網点部は文字属性の画像領域として特定され、それ以外の網点部は中間調のある画像領域として特定される。そして、文字属性の画像領域については、鮮鋭化処理が施され、中間調のある画像領域については、平滑化処理が施される。
【０００７】
一般的に、この閾値となる線数は装置設計時に予め決定されており、その閾値以下（あるいはその閾値以上）の線数の網点部を検出するためにチューニングされたパラメーターが予め画像読取装置に記憶され、そのパラメーターに基づいて、特定の線数範囲の網点部が検出される。
【０００８】
このように、閾値となる線数は固定的に決められているため、通常、ユーザーが、好みに合わせて、この閾値となる線数を調節することができない。
【０００９】
ユーザーがその閾値を選択できるようにするためには、各閾値に応じたパラメーターを予め記憶させておくことになり、多くの閾値に対応する多くのパラメーターを記憶させておく大容量の記憶装置が必要になってしまう。そのような大容量の記憶装置は、画像読取装置のコストの増加につながるため、好ましくない。
【００１０】
本発明は、上記の問題に鑑みてなされたものであり、装置のコストをほとんど増加させることなく、ユーザーが好みに合わせて、所定の属性（例えば文字属性）の画像領域を検出するための条件を変更することができる画像読取装置および画像読取方法を得ることを目的とする。
【課題を解決するための手段】
【００１１】
上記の課題を解決するために、本発明では以下のようにした。
【００１２】
本発明に係る画像読取装置は、画像読取を行い、基本解像度の第１画像データと、基本解像度とは異なる領域検出用解像度の第２画像データとを生成する読取制御部と、第２画像データにおいて、線数についての所定の条件を満たす画像領域を特定する領域特定部と、第１画像データにおいて、領域特定部により特定された画像領域に対して所定の画像処理を行う画像処理部とを備える。
【００１３】
これにより、領域特定部における線数の条件を固定としたままで、領域検出用解像度を変更することで、所定の属性（例えば文字属性）の画像領域を検出するための線数の条件が実質的に変更される。
【００１４】
したがって、画像領域を検出するために使用されるパラメーターが１セットで済み、装置のコストをほとんど増加させることなく、ユーザーが好みに合わせて、所定の属性（例えば文字属性）の画像領域を検出するための条件を変更することができる。つまり、ユーザーが領域検出用解像度を変更すれば、所定の属性（例えば文字属性）の画像領域を検出するための条件が（実質的に）変更される。
【００１５】
また、領域特定部は、所定のデフォルト線数を閾値としその閾値に基づく所定の条件を満たす画像領域を特定する。そして、読取制御部は、デフォルト線数と調整後の閾値線数との比を基本解像度に乗じて領域検出用解像度を計算し、基本解像度の第１画像データと、領域検出用解像度の第２画像データとを生成する。
【００１６】
これにより、領域特定部における線数の閾値を固定としたままで、領域検出用解像度を変更することで、所定の属性（例えば文字属性）の画像領域を検出するための線数の条件が実質的に変更される。
【００１７】
例えば、領域特定部の閾値が１００ＬＰＩ（Line Per Inch）であり、調整後の閾値線数が１５０ＬＰＩである場合、基本解像度の１．５倍に領域検出用解像度が設定される。このため、領域検出用解像度における１００ＬＰＩが基本解像度における１５０ＬＰＩに相当し、実質的には、第１画像データにおいて、１５０ＬＰＩを閾値として画像領域が特定される。
【００１８】
また、本発明に係る画像読取装置は、上記の画像読取装置に加え、次のようにしてもよい。この場合、画像読取装置は、ユーザー操作を受け付ける操作部をさらに備える。そして、調整後の閾値線数は、デフォルト線数と、操作部に対して入力された調整値とから計算される。
【００１９】
これにより、ユーザーの好みに応じて調整後の閾値線数が設定される。
【００２０】
また、本発明に係る画像読取装置は、上記の画像読取装置のいずれかに加え、次のようにしてもよい。この場合、領域特定部は、閾値以下の線数を有する第１画像領域を特定するとともに、閾値より多い線数の第２画像領域を特定する。そして、画像処理部は、第１画像領域に対して鮮鋭化処理を行い、第２画像領域に対して平滑化処理を行う。
【００２１】
これにより、文字属性を有する画像領域には鮮鋭化処理が適切に行われ、写真などの中間調の画像領域には平滑化処理が適切に行われる。
【００２２】
また、本発明に係る画像読取装置は、上記の画像読取装置のいずれかに加え、次のようにしてもよい。この場合、領域特定部は、文字属性を有する画像領域を特定する。そして、画像処理部は、特定した画像領域に対して鮮鋭化処理を行う。
【００２３】
これにより、文字属性を有する画像領域には鮮鋭化処理が適切に行われる。
【００２４】
また、本発明に係る画像読取装置は、上記の画像読取装置のいずれかに加え、次のようにしてもよい。この場合、画像処理部は、特定した画像領域以外の画像領域に対して平滑化処理を行う。
【００２５】
これにより、文字属性を有する画像領域には鮮鋭化処理が適切に行われ、写真などの中間調の画像領域には平滑化処理が適切に行われる。
【００２６】
また、本発明に係る画像読取装置は、上記の画像読取装置のいずれかに加え、次のようにしてもよい。この場合、画像読取装置は、上述の所定の条件を満たす画像領域を検出するためのパラメーター設定値を記憶する記憶装置をさらに備える。そして、領域特定部は、記憶装置からパラメーター設定値を読み出し、読み出したパラメーター設定値を使用して第２画像データにおいて画像領域を特定する。
【００２７】
本発明に係る画像読取方法は、画像読取を行い、基本解像度の第１画像データと、基本解像度とは異なる領域検出用解像度の第２画像データとを生成する画像読取ステップと、第２画像データにおいて、線数についての所定の条件を満たす画像領域を特定する領域特定ステップと、第１画像データにおいて、特定した画像領域に対して所定の画像処理を行うステップとを備える。そして、領域特定ステップにおいて、所定のデフォルト線数を閾値としその閾値に基づく上述の所定の条件を満たす画像領域を特定し、画像読取ステップにおいて、デフォルト線数と調整後の閾値線数との比を基本解像度に乗じて領域検出用解像度を計算し、基本解像度の第１画像データと、領域検出用解像度の第２画像データとを生成する。
【００２８】
これにより、領域特定部における線数の閾値を固定としたままで、領域検出用解像度を変更することで、所定の属性（例えば文字属性）の画像領域を検出するための線数の条件が実質的に変更される。
【発明の効果】
【００２９】
本発明によれば、装置のコストをほとんど増加させることなく、ユーザーが好みに合わせて、所定の属性（例えば文字属性）の画像領域を検出するための条件を変更することができる。
【図面の簡単な説明】
【００３０】
【図１】図１は、本発明の実施の形態に係る画像読取装置の構成を示すブロック図である。
【図２】図２は、図１に示す画像読取装置を操作してユーザーが好みの画質を得るまでの手順を示すフローチャートである。
【図３】図３は、図１における操作パネルに表示される調整値の設定画面の一例を示す図である。
【図４】図４は、原稿コピー時の図１に示す画像読取装置の動作を説明するフローチャートである。
【図５】図５は、図１に示す画像読取装置において、異なる解像度の画像データを使用することで、線数の閾値を実質的に変更する原理を説明する図である。
【発明を実施するための形態】
【００３１】
以下、図に基づいて本発明の実施の形態を説明する。
【００３２】
図１は、本発明の実施の形態に係る画像読取装置の構成を示すブロック図である。図１に示す画像読取装置は、コピー機であるが、この画像読取装置は、印刷機能を有さないスキャナー機や、コピー機能の他に様々な機能を有する複合機などとしてもよい。
【００３３】
この画像読取装置は、プリンター１１と、スキャナー１２と、操作パネル１３と、記憶装置１４と、制御装置１５とを備える。
【００３４】
プリンター１１は、画像を印刷用紙に印刷する内部装置である。スキャナー１２は、原稿から原稿画像を光学的に読み取り、原稿画像の画像データを生成する内部装置である。
【００３５】
また、操作パネル１３は、画像読取装置の筐体表面に配置され、ユーザーに対して各種情報を表示する表示装置と、ユーザー操作を受け付ける操作部としての入力装置とを有する。表示装置としては例えば液晶ディスプレイが使用される。入力装置としては、キースイッチ、タッチパネルなどが使用される。
【００３６】
また、記憶装置１４は、各種データを記憶する不揮発性の記憶装置である。記憶装置１４としては、ハードディスクドライブ、フラッシュメモリーなどが使用される。記憶装置１４には、パラメーター設定値データ２１が予め記憶されている。
【００３７】
パラメーター設定値データ２１は、線数についての所定の条件を満たす画像領域を検出するためのパラメーター設定値のデータである。
【００３８】
線数についての所定の条件が、線数が所定の閾値以下（または以上）であることであり、その閾値が装置設計時に例えば１００ＬＰＩなどと予め決定されている場合、その閾値以下（あるいはその閾値以上）の線数の網点部を検出するためにチューニングされたパラメーターの値が、パラメーター設定値データ２１として記憶されている。パラメーターとしては、網点における点の連続数の閾値などがある。つまり、閾値以上の数の点が連続していなければ、条件を満足する網点部として検出されない。
【００３９】
また、制御装置１５は、プリンター１１、スキャナー１２、操作パネル１３などといった内部装置を制御するとともに、各種データ処理を行う。
【００４０】
例えば、制御装置１５には、ＣＰＵ（Central Processing Unit）、ＲＯＭ（Read Only Memory）、ＲＡＭ（Random Access Memory）などを有するマイクロプロセッサーなどといったコンピューターが使用される。制御装置１５では、ＲＯＭ、記憶装置１４などに記憶されているプログラムがＲＡＭにロードされ、ＣＰＵにより実行されることで、各種処理部が実現される。この制御装置１５では、調整値設定部３１、読取制御部３２、領域特定部３３、画像処理部３４、および印刷制御部３５が実現される。
【００４１】
調整値設定部３１は、操作パネル１３に調整値設定画面を表示させ、ユーザー操作によって操作パネル１３に入力された調整値を特定する。
【００４２】
読取制御部３２は、スキャナー１２を制御して画像読取を行い、基本解像度の第１画像データと、基本解像度とは異なる領域検出用解像度の第２画像データとを生成する。
【００４３】
基本解像度は、画像読取で生成されその後の印刷などの出力に使用される画像データの解像度である。
【００４４】
領域検出用解像度は、デフォルトでの検出条件とは異なる検出条件で網点領域を検出する際に使用される第２画像データの解像度である。
【００４５】
この実施の形態では、読取制御部３２は、所定のデフォルト線数と調整後の閾値線数との比を基本解像度に乗じて領域検出用解像度を計算し、基本解像度の第１画像データと、領域検出用解像度の第２画像データとを生成する。この調整後の閾値線数は、デフォルト線数と、調整値設定部３１により入力された調整値とから計算される。例えば、デフォルト線数が１００ＬＰＩであり、調整値が＋５０である場合、調整後の閾値線数は、１５０ＬＰＩとされる。
【００４６】
領域特定部３３は、上述の第２画像データにおいて、線数についての所定の条件を満たす画像領域を特定する。
【００４７】
この実施の形態では、領域特定部３３は、デフォルト線数を閾値としその閾値に基づく所定の条件を満たす画像領域を特定する。また、この実施の形態では、領域特定部３３は、その閾値以下の線数を有する第１画像領域を文字属性を有する画像領域として特定するとともに、その閾値より多い線数の第２画像領域を特定する。また、この実施の形態では、領域特定部３３は、記憶装置１４からパラメーター設定値データ２１を読み出し、読み出したパラメーター設定値データ２１を使用して第２画像データにおいて画像領域を特定する。
【００４８】
画像処理部３４は、第１画像データにおいて、領域特定部３３により特定された画像領域に対して所定の画像処理を行う。
【００４９】
この実施の形態では、画像処理部３４は、上述の第１画像領域に対して鮮鋭化処理を行い、上述の第２画像領域に対して平滑化処理を行う。つまり、画像処理部３４は、第１画像領域以外の画像領域に対して平滑化処理を行う。
【００５０】
なお、コピーの場合、画像処理部３４は、このような画像処理を行った後に、ハーフトーニングなどの処理を行って画像データから印刷データを生成する。
【００５１】
印刷制御部３５は、プリンター１１を制御し、印刷データに基づく画像を印刷させる。
【００５２】
次に、上記画像読取装置の動作について説明する。
【００５３】
図２は、図１に示す画像読取装置を操作してユーザーが好みの画質を得るまでの手順を示すフローチャートである。
【００５４】
図２に示すように、ユーザー（サービスパーソンを含む）が電源をオンすると、画像読取装置が起動する（ステップＳ１）。ユーザーがコピーボタンを押下すると、画像読取装置は、後述のようにコピーを実行する（ステップＳ２）。ユーザーは、コピーで生成された印刷物を確認し、好みの画質となっているか否かを判定する（ステップＳ３）。好みの画質となっていれば、ユーザーは画質調整を終了する。好みの画質となっていなければ、ユーザーは、調整値を変更し（ステップＳ５）、再度コピー操作を行う。このようにして、好みの画質が得られるまで、調整値が変更される。
【００５５】
ユーザーは、調整値を変更する場合、まず、調整値設定画面を表示させる操作を行う。図３は、図１における操作パネル１１に表示される調整値の設定画面の一例を示す図である。画像読取装置では、調整値設定部３１が、図３に示すような調整値設定画面を操作パネル１３に表示させる。調整値設定画面には、調整ボタン１０１，１０２が表示される。調整ボタン１０１が押下されると、操作パネル１３のタッチパネルなどでその操作が検出され、調整値設定部３１は、調整値を減少させる。一方、調整ボタン１０２が押下されると、操作パネル１３のタッチパネルなどでその操作が検出され、調整値設定部３１は、調整値を増加させる。
【００５６】
ここで、原稿コピー時（ステップＳ２）の画像読取装置の動作について説明する。
【００５７】
図４は、原稿コピー時の図１に示す画像読取装置の動作を説明するフローチャートである。
【００５８】
操作パネル１３におけるコピーボタンが押下されると、読取制御部３２は、現時点で設定されている調整値を特定し（ステップＳ１１）、基本解像度を特定するとともに、基本解像度と調整値から領域検出用解像度を計算する（ステップＳ１２）。
【００５９】
そして、読取制御部３２は、スキャナー１２に画像読取を実行させ（ステップＳ１３）、スキャナー１２から供給される画像データから、基本解像度の画像データ（第１画像データ）と領域検出用解像度の画像データ（第２画像データ）とを生成する（ステップＳ１４）。
【００６０】
次に、領域特定部３３は、パラメーター設定値データ２１を記憶装置１４から読み出し、そのパラメーター設定値データ２１を使用して、領域検出用解像度の画像データ（第２画像データ）において、デフォルト線数条件を満たす網点領域を特定する（ステップＳ１５）。例えば、デフォルト線数条件は、１００ＬＰＩ以下であるとされ、そのデフォルト線数条件についてのパラメーター設定値データ２１が予め記憶装置１４に記憶されている。
【００６１】
図５は、図１に示す画像読取装置において、異なる解像度の画像データを使用することで、線数の閾値を実質的に変更する原理を説明する図である。
【００６２】
線数条件のデフォルト閾値が１００ＬＰＩであり、調整値が０である場合、図５（Ａ）に示す１００ＬＰＩの原稿画像内の１ドットが、図５（Ｂ）に示すように、３画素で読み取られる。
【００６３】
一方、線数条件のデフォルト閾値が１００ＬＰＩであり、調整値が＋５０であり、調整後の閾値が（実質的に）１５０ＬＰＩとされた場合、図５（Ｃ）に示す１５０ＬＰＩの原稿画像内の１ドットが、基本解像度では図５（Ｄ）に示すように２画素となるが、領域検出用解像度では図５（Ｅ）に示すように３画素となる。
【００６４】
調整値に応じて領域検出用解像度が調節されるため、調整値に拘わらず、原稿画像内の１ドットが、第２画像データ内の３画素となる。したがって、領域特定部３３は、線数条件の閾値が変化しても、原稿画像内の１ドットが第２画像データ内の３画素となるという一定の前提条件の下で、検出対象となる網点領域を特定する。
【００６５】
このため、原稿画像における網点の１点が画像データにおける３画素に対応する場合にチューニングされたパラメーター設定値データ２１のみが記憶装置１４に記憶され、領域特定部３３は、調整値に拘わらず、そのパラメーター設定値データ２１に基づいて網点領域を特定する。
【００６６】
このようにして第２画像データにおいて対象となる網点領域が特定されると、画像処理部３４は、第２画像データにおいて特定された網点領域に対応する第１画像データにおける領域を特定する。つまり、第２画像データによる画像内での網点領域の形状および位置と同一形状および同一位置の領域が、第１画像データによる画像内で特定される。
【００６７】
そして、画像処理部３４は、第１画像データ、つまり基本解像度の画像データにおいて特定された線数条件を満たす網点領域に対して所定の画像処理を実行する（ステップＳ１６）。例えば、線数が閾値以下の網点領域については、鮮鋭化処理が実行され、線数が閾値より多い網点領域については、平滑化処理が実行される。
【００６８】
さらに、画像処理部３４は、処理後の第１画像データから印刷データを生成する。
【００６９】
その後、印刷制御部３５は、印刷データに基づいてプリンター１１に印刷を実行させる（ステップＳ１７）。
【００７０】
以上のように、上記実施の形態によれば、読取制御部３２は、画像読取を行い、基本解像度の第１画像データと、基本解像度とは異なる領域検出用解像度の第２画像データとを生成し、領域特定部３３は、第２画像データにおいて、線数についての所定の条件を満たす画像領域を特定し、画像処理部３４は、第１画像データにおいて、領域特定部により特定された画像領域に対して所定の画像処理を行う。
【００７１】
これにより、領域特定部３３における線数の条件を固定としたままで、領域検出用解像度を変更することで、所定の属性（例えば文字属性）の画像領域を検出するための線数の条件が実質的に変更される。
【００７２】
したがって、画像領域を検出するための使用されるパラメーターが１セットで済み、装置のコストをほとんど増加させることなく、ユーザーが好みに合わせて、所定の属性（例えば文字属性）の画像領域を検出するための条件を変更することができる。つまり、ユーザーが領域検出用解像度を変更すれば、所定の属性（例えば文字属性）の画像領域を検出するための条件が（実質的に）変更される。また、パラメーターが１セットで済むため、複数セットをチューニングせずに済み、開発者の負担も少なくて済む。
【００７３】
なお、上述の実施の形態は、本発明の好適な例であるが、本発明は、これらに限定されるものではなく、本発明の要旨を逸脱しない範囲において、種々の変形、変更が可能である。
【００７４】
例えば、上記実施の形態において、ユーザーにより入力された調整値を、記憶装置１４などの不揮発性の記憶装置に記憶しておき、次回からは、ユーザーによる調整値の入力を行わずに、その記憶装置から読み出すようにしてもよい。
【００７５】
また、上記の実施の形態においては調整値が＋５０である例について説明しているが、調整値は負の値でもよい。例えば、線数条件のデフォルト閾値が１５０ＬＰＩであり、調整値が−５０である場合、調整後の閾値が１００ＬＰＩとなり、領域検出用解像度は、基本解像度の３分の２（＝１００／１５０）とされる。
【産業上の利用可能性】
【００７６】
本発明は、例えば、コピー機、複合機などに適用可能である。
【符号の説明】
【００７７】
１３  操作パネル（操作部の一例）
１４  記憶装置
３２  読取制御部
３３  領域特定部
３４  画像処理部
【図１】
0005463261.tif 000002
【図２】
0005463261.tif 000003
【図３】
0005463261.tif 000004
【図４】
0005463261.tif 000005
【図５】
0005463261.tif 000006